(57)【要約】【課題】  小型化を確保した上で使い勝手の向上を図る。【解決手段】  筐体２の内部に配置されアクセサリー１００が取り付けられるアクセサリーシュー７と、筐体の上面に形成され使用者が把持する部分として設けられたグリップ部２ａと、グリップ部に連続する位置に配置されると共に筐体に対してグリップ部に接する方向へ回動されてアクセサリーシューを開放し筐体に対してグリップ部から離隔する方向へ回動されてアクセサリーシューを閉塞するシューカバー３とを設け、シューカバーがアクセサリーシューを閉塞する方向へ付勢された。  シューカバーがアクセサリーに接触した状態で保持され、シューカバーの存在がグリップ部の把持に支障を来たすことがないため、撮像装置の使い勝手の向上を図ることができる。【選択図】        図２
2011133798.tif 000002
【特許請求の範囲】
【請求項１】
筐体の内部に配置され所定のアクセサリーが取り付けられるアクセサリーシューと、
前記筐体の上面に形成され使用者が把持する部分として設けられたグリップ部と、
前記グリップ部に連続する位置に配置されると共に前記筐体に対して前記グリップ部に接する方向へ回動されて前記アクセサリーシューを開放し前記筐体に対して前記グリップ部から離隔する方向へ回動されて前記アクセサリーシューを閉塞するシューカバーとを備え、
前記シューカバーが前記アクセサリーシューを閉塞する方向へ付勢された
撮像装置。
【請求項２】
前記グリップ部に操作キーを配置した
請求項１に記載の撮像装置。
【請求項３】
前記シューカバーを回動自在に支持すると共に前記アクセサリーシューが前記シューカバーによって閉塞された状態において前記筐体の内部に配置される支持部材を設け、
前記支持部材の一端部に前記シューカバーが回動自在に支持され、
前記支持部材が他端部を支点として前記筐体に対して前記シューカバーの回動方向と同じ方向へ回動可能とされ、
前記シューカバーによって前記アクセサリーシューが開放されるときに前記支持部材の一端部が筐体の外側に突出されるようにした
請求項１に記載の撮像装置。
【請求項４】
前記支持部材を前記一端部が前記筐体の外側に突出される方向へ付勢した
請求項３に記載の撮像装置。
【請求項５】
前記支持部材を前記グリップ部と前記シューカバーが連続する方向へ移動可能とした
請求項３に記載の撮像装置。
【請求項６】
前記シューカバーを形成材料の異なるベース部材とカバー部材を厚み方向において結合することにより構成し、
前記アクセサリーシューを閉塞した状態において前記カバー部材が前記ベース部材の外側に位置し、
前記ベース部材を前記カバー部材より硬度の低い材料によって形成した
請求項１に記載の撮像装置。
【発明の詳細な説明】
【技術分野】
【０００１】
本発明は撮像装置についての技術分野に関する。詳しくは、アクセサリーシューを開閉するシューカバーをグリップ部が位置する側と反対側に付勢して使い勝手の向上等を図る技術分野に関する。
【背景技術】
【０００２】
ビデオカメラやスチルカメラ等の各種の撮像装置には、例えば、ストロボ等のアクセサリーを取り付けるためのアクセサリーシューが設けられているものがある。
【０００３】
アクセサリーシューはアクセサリーを使用しない場合には必要としない部分であるため、撮像装置によってはアクセサリーシューが筐体の内部に配置されアクセサリーシューを開閉するシューカバーが設けられているものがある。
【０００４】
このような撮像装置として、シューカバーが筐体にスライド自在に支持され、シューカバーがスライドされて筐体の内部に収納されることによりアクセサリーシューが開放されるようにしたものがある（例えば、特許文献１参照）。
【０００５】
また、別の撮像装置として、シューカバーがカバー本体と連結紐とによって構成され、カバー本体を筐体から取り外すことによりアクセサリーシューが開放されるようにしたものがある（例えば、特許文献２参照）。シューカバーは連結紐によって筐体に連結されており、カバー本体が筐体から取り外された状態における筐体からのシューカバーの脱落が防止されている。
【０００６】
【特許文献１】特開２００９−１６２８９０号公報
【特許文献２】特開２００９−１５２９１１号公報
【発明の開示】
【発明が解決しようとする課題】
【０００７】
ところが、特許文献１に記載された撮像装置にあっては、アクセサリーシューが開放されたときにシューカバーがスライドされて筐体の内部に収納されるため、筐体の内部にシューカバーの収納スペースを形成する必要があり、その分、小型化を阻害してしまうと言う問題がある。
【０００８】
また、特許文献２に記載された撮像装置にあっては、カバー本体が筐体から取り外される構成であるため小型化に支障を来たすことはないが、カバー本体が筐体から取り外された状態において、シューカバーが筐体に吊り下げられた状態となるため、シューカバーの筐体に対する位置が定まらない。従って、シューカバーの筐体に対する位置によっては、撮影時に撮影者が把持する部分であるグリップ部を把持するときにシューカバーが邪魔となり、グリップ部の把持に支障を来たし、使い勝手が低下するおそれがある。
【０００９】
そこで、本発明撮像装置は、上記した問題点を克服し、小型化を確保した上で使い勝手の向上を図ることを課題とする。
【課題を解決するための手段】
【００１０】
撮像装置は、上記した課題を解決するために、筐体の内部に配置され所定のアクセサリーが取り付けられるアクセサリーシューと、前記筐体の上面に形成され使用者が把持する部分として設けられたグリップ部と、前記グリップ部に連続する位置に配置されると共に前記筐体に対して前記グリップ部に接する方向へ回動されて前記アクセサリーシューを開放し前記筐体に対して前記グリップ部から離隔する方向へ回動されて前記アクセサリーシューを閉塞するシューカバーとを備え、前記シューカバーが前記アクセサリーシューを閉塞する方向へ付勢されたものである。
【００１１】
従って、撮像装置にあっては、アクセサリーシューが開放された状態においてシューカバーにグリップ部から離隔する方向への回動力が付与される。
【００１２】
上記した撮像装置においては、前記グリップ部に操作キーを配置することが望ましい。
【００１３】
グリップ部に操作キーを配置することにより、シューカバーが干渉しない位置に操作キーが配置される。
【００１４】
上記した撮像装置においては、前記シューカバーを回動自在に支持すると共に前記アクセサリーシューが前記シューカバーによって閉塞された状態において前記筐体の内部に配置される支持部材を設け、前記支持部材の一端部に前記シューカバーが回動自在に支持され、前記支持部材が他端部を支点として前記筐体に対して前記シューカバーの回動方向と同じ方向へ回動可能とされ、前記シューカバーによって前記アクセサリーシューが開放されるときに前記支持部材の一端部が筐体の外側に突出されるようにすることが望ましい。
【００１５】
シューカバーによってアクセサリーシューが開放されるときに支持部材の一端部が筐体の外側に突出されるようにすることにより、支持部材の全体が筐体の外側において回動される。
【００１６】
上記した撮像装置においては、前記支持部材を前記一端部が前記筐体の外側に突出される方向へ付勢することが望ましい。
【００１７】
支持部材を一端部が筐体の外側に突出される方向へ付勢することにより、アクセサリーシューがシューカバーによって開放されたときに、支持部材が筐体の外側に突出される方向へ回動される。
【００１８】
上記した撮像装置においては、前記支持部材を前記グリップ部と前記シューカバーが連続する方向へ移動可能とすることが望ましい。
【００１９】
支持部材をグリップ部とシューカバーが連続する方向へ移動可能とすることにより、アクセサリーシューがシューカバーによって開放されたときに、支持部材の一端部がアクセサリーシュー側に移動可能とされる。
【００２０】
上記した撮像装置においては、前記シューカバーを形成材料の異なるベース部材とカバー部材を厚み方向において結合することにより構成し、前記アクセサリーシューを閉塞した状態において前記カバー部材が前記ベース部材の外側に位置し、前記ベース部材を前記カバー部材より硬度の低い材料によって形成することが望ましい。
【００２１】
ベース部材をカバー部材より硬度の低い材料によって形成することにより、アクセサリーシューにアクセサリーが取り付けられた状態において、硬度の低いベース部材がアクセサリーに接触される。
【発明の効果】
【００２２】
本発明撮像装置は、筐体の内部に配置され所定のアクセサリーが取り付けられるアクセサリーシューと、前記筐体の上面に形成され使用者が把持する部分として設けられたグリップ部と、前記グリップ部に連続する位置に配置されると共に前記筐体に対して前記グリップ部に接する方向へ回動されて前記アクセサリーシューを開放し前記筐体に対して前記グリップ部から離隔する方向へ回動されて前記アクセサリーシューを閉塞するシューカバーとを備え、前記シューカバーが前記アクセサリーシューを閉塞する方向へ付勢されている。
【００２３】
従って、撮影時に撮影者がグリップ部を把持するときにシューカバーの存在がグリップ部の把持に支障を来たすことがないため、撮像装置の使い勝手の向上を図ることができる。
【００２４】
また、シューカバーが筐体に対して回動されてアクセサリーシューを開閉するため、筐体の内部にシューカバーを収納するスペースを形成する必要がなく、撮像装置の小型化を図ることができる。
【００２５】
請求項２に記載した発明にあっては、前記グリップ部に操作キーを配置したので、シューカバーが操作キーに対する操作の妨げとなることがなく、操作キーに対する良好な操作性を確保することができる。
【００２６】
請求項３に記載した発明にあっては、前記シューカバーを回動自在に支持すると共に前記アクセサリーシューが前記シューカバーによって閉塞された状態において前記筐体の内部に配置される支持部材を設け、前記支持部材の一端部に前記シューカバーが回動自在に支持され、前記支持部材が他端部を支点として前記筐体に対して前記シューカバーの回動方向と同じ方向へ回動可能とされ、前記シューカバーによって前記アクセサリーシューが開放されるときに前記支持部材の一端部が筐体の外側に突出されるようにしている。
【００２７】
従って、シューカバーをグリップ部に近付く側に容易に回動することができ、アクセサリーのアクセサリーシューへの取付作業における作業性の向上を図ることができる。
【００２８】
請求項４に記載した発明にあっては、前記支持部材を前記一端部が前記筐体の外側に突出される方向へ付勢したので、支持部材の一端部を筐体の外側に確実に突出させることができる。
【００２９】
請求項５に記載した発明にあっては、前記支持部材を前記グリップ部と前記シューカバーが連続する方向へ移動可能としたので、支持部材の一端部をアクセサリーシューが位置する側に移動させることができ、支持部材の一端部を筐体の外側に容易かつ確実に突出させることができる。
【００３０】
請求項６に記載した発明にあっては、前記シューカバーを形成材料の異なるベース部材とカバー部材を厚み方向において結合することにより構成し、前記アクセサリーシューを閉塞した状態において前記カバー部材が前記ベース部材の外側に位置し、前記ベース部材を前記カバー部材より硬度の低い材料によって形成している。
【００３１】
従って、アクセサリーとの接触時におけるアクセサリーの傷付きを防止することができる。
【発明を実施するための最良の形態】
【００３２】
以下に、本発明撮像装置を実施するための最良の形態を添付図面に従って説明する。
【００３３】
以下に示した最良の形態は、本発明撮像装置をビデオカメラに適用したものである。
【００３４】
但し、本発明の適用範囲はビデオカメラに限られることはなく、例えば、スチルカメラ等の撮像装置として用いられる各種の装置に広く適用することができる。
【００３５】
以下の説明にあっては、撮像装置（ビデオカメラ）の撮影時において撮影者から見た方向で前後上下左右の方向を示すものとする。従って、被写体側が前方となり、撮影者側が後方となる。
【００３６】
尚、以下に示す前後上下左右の方向は説明の便宜上のものであり、本発明の実施に関しては、これらの方向に限定されることはない。
【００３７】
＜撮像装置の構成＞
撮像装置（ビデオカメラ）１は箱状の筐体２の内外に所要の各部が配置されて成る（図１及び図２参照）。
【００３８】
筐体２の上面における前端寄りの位置にはシューカバー３が配置されている。筐体２の上面におけるシューカバー３の後側に位置する部分は、撮影者が撮影時に把持するグリップ部２ａとして形成されている。撮影者はグリップ部２ａに、例えば、親指１００１以外の４本の指１００２、１００２、・・・を宛って撮影を行う。
【００３９】
グリップ部２ａには操作キー４、４、・・・が配置されている。操作キー４、４、・・・として、例えば、撮影釦やズームスイッチ等が設けられている。
【００４０】
筐体２の前面部には撮像レンズ５が配置されている。
【００４１】
筐体２の側面にはグリップベルト６が前後に延びる向きで取り付けられている。グリップベルト６は撮影者が撮影時に手１０００を挿入する部分であり、撮影時における撮像装置１の落下を防止する機能を有する。従って、撮影者は、通常、グリップベルト６に手１０００を通してグリップ部２ａを把持し、操作キー４、４、・・・を指１００２、１００２、・・・で操作して撮影を行う（図３参照）。
【００４２】
筐体２の上面には上方に開口された配置用凹部２ｂが形成され、該配置用凹部２ｂにストロボ等の所要のアクセサリー１００が取り付けられるアクセサリーシュー７が配置されている。アクセサリーシュー７は上記したシューカバー３によって開閉される（図１及び図２参照）。
【００４３】
シューカバー３はベース部材８とカバー部材９が結合されて成る（図５参照）。
【００４４】
ベース部材８は、例えば、エラストマーやゴム等の硬度の低い材料によって形成されている。ベース部材８は略平板状に形成された結合部１０と該結合部１０の左右両側縁から略下方へ突出された連結部１１、１１と結合部１０の後縁における左右両端部からそれぞれ後方へ突出された軸受突部１２、１２とが一体に形成されて成る。連結部１１、１１にはそれぞれ左右に貫通された連結孔１１ａ、１１ａが形成されている。
【００４５】
カバー部材９は、例えば、樹脂材料等のベース部材８より硬度の高い材料によって略平板状に形成され、外形がベース部材８の結合部１０の外形と略同じにされている。
【００４６】
カバー部材９の前縁には上方及び前方に開口された指掛け凹部９ａが形成されている。
【００４７】
カバー部材９は結合部１０を上方から覆うようにして、例えば、係合、圧入、接着等の適宜の手段によってベース部材８と結合される。
【００４８】
筐体２の内部には配置用凹部２ｂの後側に支持ベース１３が配置されて固定されている（図４及び図５参照）。支持ベース１３は上下方向を向くベース面部１４と該ベース面部１４から上方へ突出された枠状の周面部１５とを有している。支持ベース１３にはベース面部１４と周面部１５によって上方に開口された支持凹部１３ａが形成されている。
【００４９】
周面部１５における左右に対向して位置する部分はそれぞれ側面部１６、１６として設けられ、該側面部１６、１６にはそれぞれ上方に開口された案内溝１６ａ、１６ａが形成されている。
【００５０】
ベース部材１３には支持部材１７が前後方向へ移動自在に支持されている。支持部材１７は略Ｌ字状に形成され、略９０°屈曲されるように形成された前側部１８と後側部１９を有している。
【００５１】
前側部１８の前端部には左右に離隔して一対の第１の軸受部１８ａ、１８ａが設けられ、後側部１９の後端部には左右に離隔して一対の第２の軸受部１９ａ、１９ａが設けられている。
【００５２】
支持部材１７の前端部にはそれぞれ第１の軸受部１８ａ、１８ａから前方へ突出されたストッパー片１７ａ、１７ａが設けられている。
【００５３】
支持部材１７の第１の軸受部１８ａ、１８ａには第１の支持軸２０が挿入され、該第１の支持軸２０の両端部がそれぞれシューカバー３の軸受突部１２、１２に挿入される。従って、シューカバー３と支持部材１７は第１の支持軸２０を支点として互いに回動可能な状態で連結される。
【００５４】
第１の支持軸２０には第１の軸受部１８ａ、１８ａ間に第１の付勢バネ２１が支持される。第１の付勢バネ２１は、例えば、捩じりコイルバネであり、コイル部が第１の支持軸２０に支持され、一端部がシューカバー３に係合され、他端部が支持部材１７の前側部１８に係合される。従って、シューカバー３は第１の付勢バネ２１の付勢力によって支持部材１７に対して前端部が略下方へ移動する回動方向、即ち、アクセサリーシュー７を閉塞しグリップ部２ａから離隔する方向へ付勢される。
【００５５】
支持部材１７の第２の軸受部１９ａ、１９ａには第２の支持軸２２が挿入され、該第２の支持軸２２の両端部がそれぞれ支持ベース１３の案内溝１６ａ、１６ａに摺動自在に支持される。第２の支持軸２２は両端部が筐体２の上面部に上方から押さえられた状態で案内溝１６ａ、１６ａに支持される。
【００５６】
第２の支持軸２２には第２の軸受部１９ａ、１９ａ間に第２の付勢バネ２３が支持される。第２の付勢バネ２３は、例えば、捩じりコイルバネであり、コイル部が第２の支持軸２２に支持され、一端部が筐体２の上面部の内面に係合され、他端部が支持部材１７の後側部１９に係合される。従って、支持部材１７は第２の付勢バネ２３の付勢力によって前側部１８が略上方へ移動する回動方向へ付勢される。
【００５７】
＜シューカバーの開閉動作＞
以下に、シューカバー３の開閉動作について説明する（図６乃至図１０参照）。
【００５８】
筐体２の内部には左右に離隔して互いに近付く方向へ突出された結合用突部２ｃ、２ｃが設けられており（図６参照）、アクセサリーシュー７がシューカバー３によって閉塞されている状態においては、シューカバー３の連結部１１、１１に形成された連結孔１１ａ、１１ａにそれぞれ結合用突部２ｃ、２ｃが係合されている。このときシューカバー３はベース部材８における結合部１０の外周部が筐体２の配置用凹部２ｂの開口縁に密着され、支持部材１７は支持ベース１３の支持凹部１３ａに挿入されている。
【００５９】
シューカバー３の指掛け凹部９ａに指１００２（１００１）を挿入してシューカバー３を上方へ引き上げると、連結部１１、１１が互いに近付く方向へ弾性変形されて結合用突部２ｃ、２ｃとの係合が解除され、シューカバー３が第１の支持軸２０を支点として第１の付勢バネ２１の付勢力に抗して回動され筐体２に対して上方へ移動される（図７参照）。
【００６０】
シューカバー３をさらに引き上げていくと、シューカバー３の連結部１１、１１と結合用突部２ｃ、２ｃの係合が解除されているため、第２の付勢バネ２３の付勢力によって支持部材１７は前側部１８が上方へ移動する方向へ第２の支持軸２２を支点として回動され、第１の軸受部１８ａ、１８ａが配置用凹部２ｂから上方へ突出される（図８参照）。支持部材１７が回動されるときには前側部１８の上面が配置用凹部２ｂの後側開口縁に摺動され、支持部材１７は第２の支持軸２２が支持ベース１３の案内溝１６ａ、１６ａに案内されて前方へ移動される。
【００６１】
シューカバー３は支持部材１７の回動動作に伴って上方へさらに移動される。このときシューカバー３は第１の付勢バネ２１によってアクセサリーシュー７を閉塞する方向へ付勢されているため、引き上げていた手１０００をシューカバー３から離すことにより、後端部が支持部材１７のストッパー片１７ａ、１７ａに接して前側に傾斜した状態に保持される（図８参照）。
【００６２】
続いて、再度シューカバー３を把持してグリップ部２ａに近付く方向へ第１の支持軸２０を支点として第１の付勢バネ２１の付勢力に抗して大きく回動する（図９参照）。シューカバー３をグリップ部２ａに近付く側に大きく回動することにより、アクセサリーシュー７の上方が開放される。従って、アクセサリー１００をアクセサリーシュー７に取り付けることができる。
【００６３】
上記したように、撮像装置１にあっては、シューカバー３によってアクセサリーシュー７が開放されるときに、支持部材１７の一端部に設けられた第１の軸受部１８ａ、１８ａが筐体２の上方に突出される。従って、シューカバー３をグリップ部２ａに近付く側に容易に回動することができ、アクセサリー１００のアクセサリーシュー７への取付作業における作業性の向上を図ることができる。
【００６４】
また、支持部材１７は第１の軸受部１８ａ、１８ａが略上方へ移動する回動方向へ付勢されているため、第１の軸受部１８ａ、１８ａを筐体２の上方に確実に突出させることができる。
【００６５】
さらに、支持部材１７が前後方向へ移動可能とされているため、支持部材１７の前端部を筐体２の内部において配置用凹部２ｂ側に確実に移動させることができ、支持部材１７の第１の軸受部１８ａ、１８ａを筐体２の上方に容易かつ確実に突出させることができる。
【００６６】
アクセサリーシュー７へのアクセサリー１００の取付を完了した状態において、シューカバー３から手１０００を離すと第１の付勢バネ２１の付勢力によってシューカバー３は第１の支持軸２０を支点としてアクセサリーシュー７を閉塞する方向へ回動され、シューカバー３のベース部材８がアクセサリー１００に接触した状態とされる（図１０参照）。
【００６７】
シューカバー３は、上記したように、ベース部材８がエラストマーやゴム等の硬度の低い材料によって形成されているため、接触によるアクセサリー１００の傷付きを防止することができる。
【００６８】
また、シューカバー３は硬度の低いベース部材８と硬度の高いカバー部材９とが結合されて構成されているため、アクセサリー１００の傷付きを防止することができる上、一定の剛性も確保されるため、アクセサリーシュー７を閉塞するカバーとしての高い機能性を確保することができる。
【００６９】
アクセサリー１００のアクセサリーシュー７からの取り外しは、再度シューカバー３を把持してグリップ部２ａに近付く方向へ第１の支持軸２０を支点として第１の付勢バネ２１の付勢力に抗して大きく回動した状態で行う。
【００７０】
アクセサリーシュー７からアクセサリー１００を取り外した状態において、シューカバー３をグリップ部２ａから離隔する方向へ回動し、支持部材１７を前側部１８が略下方へ移動する方向へ回動すると共に後方へ移動する。
【００７１】
シューカバー３をグリップ部２ａから離隔する方向へ回動し連結部１１、１１を配置用凹部２ｂに挿入していくと、連結部１１、１１の外面がそれぞれ結合用突部２ｃ、２ｃに摺動されて互いに近付く方向へ弾性変形される。シューカバー３を回動して連結部１１、１１をさらに配置用凹部２ｂに挿入していくと、連結部１１、１１は連結孔１１ａ、１１ａが結合用突部２ｃ、２ｃに対応したときに弾性復帰して該結合用突部２ｃ、２ｃに係合し、アクセサリーシュー７がシューカバー３に閉塞される。
【００７２】
＜まとめ＞
以上に記載した通り、撮像装置１にあっては、シューカバー３が筐体２に対して回動可能とされ、シューカバー３がアクセサリーシュー７を閉塞する方向、即ち、グリップ部２ａが位置する側と反対方向へ付勢されている。
【００７３】
従って、撮影時に撮影者がグリップ部２ａを把持するときにシューカバー３がアクセサリー１００に接触した状態で保持され、シューカバー３の存在がグリップ部２ａの把持に支障を来たすことがないため、撮像装置１の使い勝手の向上を図ることができる。
【００７４】
また、シューカバー３が筐体２に対して回動されてアクセサリーシュー７を開閉するため、筐体２の内部にシューカバー３を収納するスペースを形成する必要がなく、撮像装置１の小型化を図ることができる。
【００７５】
さらに、グリップ部２ａに操作キー４、４、・・・を配置することにより、シューカバー３が操作キー４、４、・・・に対する操作の妨げとなることがなく、操作キー４、４、・・・に対する良好な操作性を確保することができる。
【００７６】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７７】
【図１】図２乃至図１０と共に本発明撮像装置を示すものであり、本図は、撮像装置の概略側面図である。
【図２】アクセサリーが取り付けられた状態を示す撮像装置の概略側面図である。
【図３】アクセサリーが取り付けられたときの撮影時における状態を示す撮像装置の概略側面図である。
【図４】アクセサリーシューがシューカバーによって閉塞された状態を一部を切断して示す拡大斜視図である。
【図５】シューカバーとこれに関連する部材を示す分解斜視図である。
【図６】アクセサリーシューがシューカバーによって閉塞された状態を切断して示す拡大斜視図である。
【図７】シューカバーが引き上げられた状態を示す拡大斜視図である。
【図８】図７に続いてシューカバーが引き上げられ支持部材が回動された状態を一部を切断して示す拡大斜視図である。
【図９】アクセサリーシューにアクセサリーが取り付けられるときの状態を示す斜視図である。
【図１０】アクセサリーシューにアクセサリーが取り付けられた状態を示す拡大側面図である。
【符号の説明】
【００７８】
１…撮像装置、２…筐体、２ａ…グリップ部、３…シューカバー、４…操作キー、７…アクセサリーシュー、８…ベース部材、９…カバー部材、１３…支持ベース、１７…支持部材、１００…アクセサリー
【図１】
2011133798.tif 000003
【図２】
2011133798.tif 000004
【図３】
2011133798.tif 000005
【図４】
2011133798.tif 000006
【図５】
2011133798.tif 000007
【図６】
2011133798.tif 000008
【図７】
2011133798.tif 000009
【図８】
2011133798.tif 000010
【図９】
2011133798.tif 000011
【図１０】
2011133798.tif 000012